(57)【要約】【課題】  小型化が可能で、低コスト化が図れ、過大な力が加わってつまみが破壊されたときでも、軸による人体への損傷の虞の少ない回転形電気部品を提供する。【解決手段】  収納部１ａを有する固定部材１と、固定部材１の収納部１ａに配設される回転部材２と、回転部材２に一端側が係合され、回転部材２の回転操作を行う操作軸と、固定部材１に一体的に設けられ、操作軸の他端側が外方へ突出されると共に、操作軸を回転可能に保持する軸受部材４と、固定部材１に収納され、回転部材２の回転に伴って電気信号を出力する信号検出手段とを備え、操作軸は、回転部材２と係合され、軸受部材４に軸支される第１の軸体３と、第１の軸体３に係合され、軸受部材４の外方へ突出されると共に、操作つまみ１４が取り付けられる第２の軸体５、１７とからなり、第１の軸体３を金属材により形成し、第２の軸体５、１７を合成樹脂材により形成した。【選択図】        図１
2007073792.tif 000002
【特許請求の範囲】
【請求項１】
収納部を有する固定部材と、この固定部材の収納部に配設される回転部材と、この回転部材に一端側が係合され、該回転部材の回転操作を行う操作軸と、前記固定部材に一体的に設けられ、前記操作軸の他端側が外方へ突出されると共に、前記操作軸を回転可能に保持する軸受部材と、前記固定部材に収納され、前記回転部材の回転に伴って電気信号を出力する信号検出手段とを備え、前記操作軸は、前記回転部材と係合され、前記軸受部材に軸支される第１の軸体と、この第１の軸体に係合され、前記軸受部材の外方へ突出されると共に、操作つまみが取り付けられる第２の軸体とからなり、前記第１の軸体を金属材により形成し、前記第２の軸体を合成樹脂材により形成したことを特徴とする回転型電気部品。
【請求項２】
前記第１の軸体を亜鉛ダイキャストで構成し、該第１の軸体に嵌入孔部を設け、この嵌入孔部に前記第２の軸体を嵌入して一体的に係合させたことを特徴とする請求項１記載の回転型電気部品。
【請求項３】
前記第２の軸体を透光性の合成樹脂材により形成すると共に、前記第１の軸体には、前記嵌入孔部に連続して軸線方向に貫通する貫通孔を形成したことを特徴とする請求項２記載の回転型電気部品。
【請求項４】
前記第２の軸体には、前記第１の軸体の前記貫通孔に対向して軸線方向に延びる有底孔を設け、この有底孔の先端に傾斜面を形成したことを特徴とする請求項３記載の回転型電気部品。
【請求項５】
前記第２の軸体には、前記第１の軸体の前記貫通孔に挿通される挿入軸部を形成し、この挿入軸部を前記固定部材の後方まで延設したことを特徴とする請求項３記載の回転型電気部品。
【請求項６】
前記信号検出手段を収納する前記固定部材の後方には、発光素子を収納する空間部を有するガイド部材を設けたことを特徴とする請求項３乃至５の何れかに記載の回転型電気部品。
【請求項７】
前記第１の軸体と第２の軸体は、合成樹脂材からなる前記第２の軸体が有する弾性によりスナップ係合されて、一体的に回転可能となっていることを特徴とする請求項１乃至６の何れかに記載の回転型電気部品。
【発明の詳細な説明】
【技術分野】
【０００１】
本発明は、音響機器等に使用され、操作つまみにより回転操作されて音量等の調整を行うエンコーダや可変抵抗器などの回転型電気部品に関する。
【背景技術】
【０００２】
従来の回転型電気部品の構造としては、操作体が、受け部材と、つまみ部と、両者の間に配設された弾性部材とにより構成されており、つまみ部に、過大な力が加わると、弾性部材が圧縮されて、つまみ部が受け部材に入り込むことにより、つまみ部の筺体からの突出量を少なくする構成のものが知られている（例えば、特許文献１参照）。
【０００３】
この従来の回転型電気部品の構造を図１０、図１１に示す。図１０は従来の回転型電気部品の使用状態を示す説明図、図１１は従来の回転型電気部品の動作状態を示す説明図である。
【０００４】
図において、本体部５１は、略箱形の筐体部５１ａと、筐体部５１ａから外方に突出し、略円筒状の軸受け部５１ｂと、筐体部５１ａから外方に突出する複数本の端子５１ｃとを有している。また、筐体部５１ａの一方の端部側内には、図示しない抵抗体やコモン電極や基板などから成る回転型の可変抵抗器５１ｄが配置され、他方の端部内には、図示しない固定接点や可動接点などから成るプッシュスイッチ５１ｅが配置されている。
【０００５】
操作軸５２は、軸受け部５１ｂに挿通され、且つ軸受け部５１ｂから軸受け部５１ｂと同軸状に外方に突出する略円柱状の軸部５３と、軸部５３の一方の端部が挿通され、該軸部５３と一体化された受け部材５４とを有する。この操作軸５２の軸部５３の他方の端部は、軸受け部５１ｂに挿通された状態で、前記可変抵抗器５１ｄと前記プッシュスイッチ５１ｅとを操作することが出来るように筐体部５１ａ内に配置されている。
【０００６】
また、軸部５３は、略円柱状の細径部５３ａと、細径部５３ａより太い径の太径部５３ｂと、太径部５３ｂの先端側に形成され、断面が略半円状の半円柱状部５３ｃとを有し、細径部５３ａが前記軸受け部５１ｂに挿通され、細径部５３ａの先端部は筐体部５１ａ内に配置されている。
また、受け部材５４は、略角柱状の基部５４ａと、基部５４ａの一方の端部から前記軸部５３の軸線方向に設けられた穴部５４ｂと、基部５４ａの一方の端部側で、前記軸部５３の軸線に直交する平面を備えた略円板状の保持部５４ｃと、該保持部５４ｃに複数個の矩形の孔５４ｄとを備えている。
【０００７】
つまみ部５５は、円弧状の表面壁５５ｃと表面壁５５ｃの周囲から表面壁５５ｃに対して略直交して延設された側壁５５ｄと表面壁５５ｃと対向する位置に設けられた略円環状の裏面壁５５ｅとを有し、裏面壁５５ｅの中央部には、略矩形の凹部５５ｆが形成された略円筒状の操作部５５ａと、操作部５５ａの裏面壁５５ｅから外方に突出する一対の係止部５５ｂとを有する。また、一対の係止部５５ｂは、前記裏面壁５５ｅから外方に突出されており、一対の係止部５５ｂの自由端には、スナップインによる係止をさせるための凸部５５ｇが形成されている。
【０００８】
弾性部材５６は、金属製のコイルばねで構成されている。
そして、前記つまみ部５５と弾性部材５６と受け部材５４とは、先ず、受け部材５４の基部５４ａに弾性部材５６が挿通され、基部５４ａがつまみ部５５の凹部５５ｆ内に収納される。この時、一対の係止部５５ｂの凸部５５ｇは、保持部５４ｃの孔５４ｄにスナップイン結合される。そして、この弾性部材５６は、つまみ部５５を軸線の前方（矢印Ｃ方向）に押し出すように所定の付勢力にて付勢している。そして、この所定の付勢力は、前述のプッシュスイッチ５１ｅをプッシュ操作するための所定の押圧力に比較して、強い力であるように構成されている。よって、つまみ部５５は、弾性部材５６の弾性に抗しながら受け部材５４の軸線方向（矢印Ｂ、及びＣ方向）に移動できるように構成されている。
【０００９】
図に示すように、この電気部品６０は、例えば、カーステレオ装置などの音響機器の筐体６５内に、プリント配線基板６６に電気的接続された状態で配置されている。この状態では、該筐体６５のパネル６５ａからほぼ前記つまみ部５５のみが外方に突出した状態で配置されている。
この状態での電気部品６０の通常の動作は、パネル６５ａから突出したつまみ部５５を押圧することにより、プッシュスイッチ５１ｅの自動復帰力に抗するつまみ部５５の移動によって動作が行われる。このとき、つまみ部５５は、常にパネル６５ａから外方に突出した状態で配置されている。
【００１０】
次に、図１１に示すように、この構成の音響機器では、音響機器の筐体６５のパネル６５ａ面側から何かがぶつかったときなどには、前記つまみ部５５に過大な押圧力が加えられ、つまみ部５５は、過大な押圧力によって受け部材５４に対して更に、軸線方向に押圧され、筐体６５のパネル６５ａ内に収納（引っ込む）される。この状態では、つまみ部５５には押圧力は加わらず、この過大な押圧力の一部は、パネル６５ａが確実に受けることになり、よって、電気部品の破損の防止が一層確実に行われることになる。
【００１１】
【特許文献１】特開２００１-３５２９９号公報
【発明の開示】
【発明が解決しようとする課題】
【００１２】
しかしながら、従来の回転型電気部品の構造においては、操作体の構造が複雑で、つまみ部に受け部材が入り込むスペースが必要なため、大型となり、コストも高くなるという問題があった。また、斜め方向からの衝撃荷重に対しては対応できないという問題があった。
【００１３】
従って、本発明は上記した問題点を解決し、小型化が可能で、低コスト化が図れ、過大な力が加わってつまみが破壊されたときでも、軸による人体への損傷の虞の少ない回転形電気部品を提供することを目的とする。
【課題を解決するための手段】
【００１４】
上記課題を解決するために本発明では第１の解決手段として、収納部を有する固定部材と、この固定部材の収納部に配設される回転部材と、この回転部材に一端側が係合され、該回転部材の回転操作を行う操作軸と、前記固定部材に一体的に設けられ、前記操作軸の他端側が外方へ突出されると共に、前記操作軸を回転可能に保持する軸受部材と、前記固定部材に収納され、前記回転部材の回転に伴って電気信号を出力する信号検出手段とを備え、前記操作軸は、前記回転部材と係合され、前記軸受部材に軸支される第１の軸体と、この第１の軸体に係合され、前記軸受部材の外方へ突出されると共に、操作つまみが取り付けられる第２の軸体とからなり、前記第１の軸体を金属材により形成し、前記第２の軸体を合成樹脂材により形成した構成とした。
【００１５】
また、第２の解決手段として、前記第１の軸体を亜鉛ダイキャストで構成し、該第１の軸体に嵌入孔部を設け、この嵌入孔部に前記第２の軸体を嵌入して一体的に係合させた構成とした。
また、第３の解決手段として、前記第２の軸体を透光性の合成樹脂材により形成すると共に、前記第１の軸体には、前記嵌入孔部に連続して軸線方向に貫通する貫通孔を形成した構成とした。
また、第４の解決手段として、前記第２の軸体には、前記第１の軸体の前記貫通孔に対向して軸線方向に延びる有底孔を設け、この有底孔の先端に傾斜面を形成した構成とした。
【００１６】
また、第５の解決手段として、前記第２の軸体には、前記第１の軸体の前記貫通孔に挿通される挿入軸部を形成し、この挿入軸部を前記固定部材の後方まで延設した構成とした。
また、第６の解決手段として、前記信号検出手段を収納する前記固定部材の後方には、発光素子を収納する空間部を有するガイド部材を設けた構成とした。
また、第７の解決手段として、前記第１の軸体と第２の軸体は、合成樹脂材からなる前記第２の軸体が有する弾性によりスナップ係合されて、一体的に回転可能となっている構成とした。
【発明の効果】
【００１７】
上述したように、本発明の回転型電気部品は、収納部を有する固定部材と、固定部材の収納部に配設される回転部材と、回転部材に一端側が係合され、回転部材の回転操作を行う操作軸と、固定部材に一体的に設けられ、操作軸の他端側が外方へ突出されると共に、操作軸を回転可能に保持する軸受部材と、固定部材に収納され、回転部材の回転に伴って電気信号を出力する信号検出手段とを備え、操作軸は、回転部材と係合され、軸受部材に軸支される第１の軸体と、第１の軸体に係合され、軸受部材の外方へ突出されると共に、操作つまみが取り付けられる第２の軸体とからなり、第１の軸体を金属材により形成し、第２の軸体を合成樹脂材により形成したことから、操作軸の先端に取り付けられた操作つまみに過大な力が加わり、操作つまみが破壊されたとしても、第２の軸体が合成樹脂材で形成されているので、第２の軸体が折れたり、第１と第２の軸体の係合が外れたりして、第２の軸体の突出状態を維持しないようにできるため、パネルから突出した操作軸により人体への損傷を及ぼしにくくすることができる。
【００１８】
また、第１の軸体を亜鉛ダイキャストで構成し、第１の軸体に嵌入孔部を設け、嵌入孔部に第２の軸体を嵌入して一体的に係合させたことから、過大な衝撃荷重により、第２の軸体が折れたり、外れやすくでき、操作軸を小形に形成することができる。
また、第２の軸体を透光性の合成樹脂材により形成すると共に、第１の軸体には、嵌入孔部に連続して軸線方向に貫通する貫通孔を形成したことから、第２の軸体を導光体として用いることができるので、回転型電気部品の後方に配置したＬＥＤ（発光素子）等の光を操作つまみに導くことができる。
また、第２の軸体には、第１の軸体の貫通孔に対向して軸線方向に延びる有底孔を設け、有底孔の先端に傾斜面を形成したことから、貫通孔に導かれた光を傾斜面により屈曲してインジケータ部への集光が可能となる。
【００１９】
また、第２の軸体には、第１の軸体の貫通孔に挿通される挿入軸部を形成し、挿入軸部を固定部材の後方まで延設したことから、挿入軸部自体を導光体として用いることができるので、より多くの光を効率良く、操作軸の先端に導くことができる。
また、信号検出手段を収納する固定部材の後方には、発光素子を収納する空間部を有するガイド部材を設けたことから、ガイド部材により発光素子からの光漏れを防止でき、効率良い導光が可能となる。
また、第１の軸体と第２の軸体は、合成樹脂材からなる第２の軸体が有する弾性によりスナップ係合されて、一体的に回転可能となっていることから、簡単に２つの軸体を一体化させることができると共に、過大な荷重が加わったときには両者の係合を容易に外すことが可能となる。
【発明を実施するための最良の形態】
【００２０】
以下、本発明の実施の形態を図１乃至図９に示す。図１は本発明の回転型電気部品を示す断面図、図２は本発明の回転型電気部品の操作軸を構成する第１の軸体を示す正面図、図３は本発明の回転型電気部品の操作軸を構成する第１の軸体を示す断面図、図４は本発明の回転型電気部品の操作軸を構成する第２の軸体を示す正面図、図５は本発明の回転型電気部品の操作軸を構成する第２の軸体を示す断面図、図６は本発明の回転型電気部品に操作つまみを装着しパネルに取り付けた使用状態を示す説明図、図７は本発明の回転型電気部品の他の実施例を示す断面図、図８は本発明の回転型電気部品の他の実施例である操作軸を構成する第２の軸体を示す正面図、図９は同じく本発明の回転型電気部品の他の実施例である操作軸を構成する第２の軸体を示す断面図である。
【００２１】
図１において、本発明の回転型電気部品は、収納部１ａを有する固定部材１と、この固定部材１の収納部１ａに配設される回転部材２と、この回転部材２に一端側が係合され、この回転部材２の回転操作を行う操作軸を構成する第１の軸体３と、固定部材１に取り付けられ、第１の軸体３の他端側が外方へ突出されると共に、第１の軸体３を回転可能に保持する軸受部材４と、第１の軸体３の他端側に係合され一体的に回転可能とされた第２の軸体５と、固定部材１に収納され、回転部材２の回転に伴って電気信号を出力する信号検出手段とから主に構成されている。
【００２２】
固定部材１は、合成樹脂等の絶縁材からなり、略矩形状に形成され、一面側には円形状の開口からなる収納部１ａが設けられている。この収納部１ａの内底部には、フェノール樹脂などの積層板からなり、表面側にカーボンあるいは銀などにより図示しない抵抗パターンあるいは導電パターンなどが設けられた絶縁基板６が、インサート成形等の方法により一体に埋設されている。
【００２３】
また、絶縁基板６の一端縁には、抵抗パターンあるいは導電パターンに接続され、外部へ導出する導電性の金属板からなる接続端子７が固着されており、この接続端子７が固定部材１の一側面から突出すると共に、一側面に沿って９０度折り曲げられて配設されている。また、絶縁基板６の中央には、回転部材２及び操作軸を構成する第１の軸体３の一部が挿通され、回転可能に保持される挿通孔６ａが設けられている。
【００２４】
固定部材１の収納部１ａには、合成樹脂等の絶縁材からなり、略円板状の回転部材２が配設されている。この回転部材２は、平板状の基台部２ａと、この基台部２ａから一方側に突出した円筒部２ｂとを有し、この円筒部２ｂが絶縁基板６の挿通孔６ａに回転可能に挿通されている。また、基台部２ａには、導電性の薄板金属板からなる摺動子８が、カシメ等の方法で固着されており、摺動子８の自由端の接触子８ａが、絶縁基板６の抵抗パターンあるいは導電パターンと摺接するものとなっている。
【００２５】
また、基台部２ａと円筒部２ｂの中央には、貫通状の嵌合孔２ｃが設けられ、この嵌合孔２ｃに操作軸を構成する第１の軸体３の一端側が係合されて、回転部材２が回転操作されるものとなっている。そして、この回転操作に伴い、摺動子８の接触子８ａが抵抗パターンあるいは導電パターンと摺接することにより、所望の電気信号が出力されるものとなっている。この抵抗パターンあるいは導電パターンが形成された絶縁基板６と、抵抗パターンあるいは導電パターン上を相対的に移動する摺動子８とで信号検出手段が構成されている。
【００２６】
図２、図３に示すように、操作軸を構成する第１の軸体３は、金属材料からなり、例えば亜鉛ダイキャスト等により形成されており、円形で平板状の鍔部３ａと、軸受部材４に回転可能に軸支される円筒状の軸部３ｂと、この軸部３ｂの先端側に中央部（内周部）が軸線方向に窪んで設けられた第２の軸体５が係合される嵌入孔部となる係合用凹部３ｃと、鍔部３ａの一端側（下面側）に突出して設けられた嵌合突部３ｄとを有している。この嵌合突部３ｄが回転部材２の嵌合孔２ｃに係合されて、操作軸を構成する第１の軸体３の回転に伴い、回転部材２が回転操作されるものとなっている。
【００２７】
また、鍔部３ａの他端側（上面側）には、図示しない環状で複数の凹凸状のカム山が設けられており、このカム山に軸受部材４に固着された弾性を有する金属板からなるクリックばね９が摺動することで、操作軸を構成する第１の軸体３の回転時のクリック感触が得られるものとなっている。
【００２８】
また、第１の軸体３の軸部３ｂには、軸受部材４の外方へ突出した根元部近傍に、溝部３ｅが形成されている。この溝部３ｅは、軸部３ｂの周方向へ連続して環状に設けられており、この溝部３ｅに、軸受部材４の先端と当接して、操作軸を構成する第１の軸体３が軸受部材４の内部に入り込むのを規制するＥリング等の規制部材１６が取り付けられている。
【００２９】
また、軸部３ｂの先端側に設けられた第２の軸体５が係合される係合用凹部３ｃには、対向した位置に一対の係止孔３ｆ、３ｆが設けられている。また、第１の軸体３の中央には、軸線方向に沿って、係合用凹部３ｃの底面から嵌合突部３ｄに渡って貫通する長尺状の貫通孔３ｇが設けられている。
【００３０】
図４、図５に示すように、操作軸を構成する第２の軸体５は、第１の軸体３よりも柔らかい材料からなる合成樹脂材で形成されており、略円柱状からなり一面にＤカット状の平面を有するつまみ取付部５ａと、このつまみ取付部５ａの一端側に突出されたやや細径からなる係合用凸部５ｂとを有している。尚、本実施例では、第２の軸体５は透光性を有する合成樹脂材で形成されている。
【００３１】
また、係合用凸部５ｂの外周面には、径方向の対向する位置に、外方に向かって突出する一対の係止突起５ｃ、５ｃが形成されている。この係止突起５ｃが、第１の軸体３の係止孔３ｆに係合することにより第１の軸体３と第２の軸体５が一体的に係合されるものとなる。また、第２の軸体５の中央には、係合用凸部５ｂの先端から軸線方向に沿って、略中間部まで至る有底孔５ｄが設けられており、この有底孔５ｄの底面は斜めに傾斜する傾斜面５ｅとなっている。
【００３２】
第１の軸体３と第２の軸体５とは、嵌入孔部となる第１の軸体３の係合用凹部３ｃに、第２の軸体５の係合用凸部５ｂが嵌入されて係合されることにより、一体的に係合されるものとなる。このとき、第２の軸体５は柔らかい合成樹脂材で、係合用凸部５ｂが有底孔５ｄによって中空状に形成されていることから、係合用凸部５ｂの外周面に設けられた係止突起５ｃ、５ｃが樹脂の可撓性からスナップ性を有するものとなる。
【００３３】
そして、この係止突起５ｃ、５ｃが係合用凹部３ｃの係止孔３ｆ、３ｆにスナップ係合されるものとなり、第１の軸体３と第２の軸体５とが一体的に係合される。そして、第１の軸体３の軸部３ｂが軸受部材４の筒状部４ｂに回転可能に挿通されて、第２の軸体５のつまみ取付部５ａが回転操作されることにより、軸受部材４に対して一体的に回転可能に取り付けられるものとなっている。
【００３４】
このように、第１の軸体３と第２の軸体５は、合成樹脂材からなる第２の軸体５が有する弾性によりスナップ係合されて、一体的に回転可能となっていることから、簡単に２つの軸体を一体化させることができると共に、過大な荷重が加わったときには両者の係合を容易に外すことが可能となっている。
【００３５】
また、第１の軸体３と第２の軸体５とは、第１の軸体３の軸部３ｂが、軸受部材４の外方へ突出した根元部近傍で係合されており、第１の軸体３と第２の軸体５の互いの係合位置が軸受部材４の先端部近傍に位置されるものとなっている。そして、操作軸に過大な荷重が加わった時には、その荷重が軸受部材４の先端部近傍に作用することになるので、第１の軸体３と第２の軸体５の係合状態を容易に外すことができるものとなっている。
【００３６】
そして、第１の軸体３と第２の軸体５とが、係止孔３ｆと係止突起５ｃにより一体に係合されたときには、第１の軸体３の嵌入孔部である係合用凹部３ｃに連続して、軸線方向に貫通する貫通孔３ｇと、第２の軸体５の係合用凸部５ｂの先端から軸線方向に沿って、略中間部まで至る有底孔５ｄとが連結して配置されるものとなり、第２の軸体５のつまみ取付部５ａの略中間部から、第１の軸体３の嵌合突部３ｄの末端に渡って、操作軸に連続した孔が形成されるものとなる。
【００３７】
このように、第２の軸体５を透光性の合成樹脂材により形成すると共に、第１の軸体３には、係合用凹部３ｃに連続して軸線方向に貫通する貫通孔３ｇを形成したことから、第２の軸体５を導光体として用いることができるので、回転型電気部品の後方に配置したＬＥＤ（発光素子１１）等の光を操作つまみ１４に導くことができるものとなっている。また、第２の軸体５には、第１の軸体３の貫通孔３ｇに対向して軸線方向に延びる有底孔５ｄを設け、この有底孔５ｄの底面は斜めに傾斜する傾斜面５ｅとなっていることから、貫通孔３ｇに導かれた光を傾斜面５ｅにより屈曲して操作ツマミ１４のインジケータ部（図示せず）への一点集光が可能となっている。
【００３８】
軸受部材４は、合成樹脂等の絶縁材あるいは金属のダイキャスト等で形成されており、矩形状の基部４ａと、この基部４ａから突出して設けられ、やや長めの筒状部４ｂとを有している。また、基部４ａには、略円形状の収容凹部４ｃが設けられており、この収容凹部４ｃの底面にはクリックばね９が固着されている。この収容凹部４ｃに、第１の軸体３の鍔部３ａが収容され、鍔部３ａの上面側に設けられた、図示しない複数の凹凸状のカム山が、クリックばね９と対向して配設されている。
【００３９】
また、筒状部４ｂには、第１の軸体３の軸部３ｂが挿入されて、第１の軸体３が軸受部材４に回転可能に軸支されている。この軸受部材４は、収容凹部４ｃを固定部材１の収納部１ａに対向させて固定部材１と一体的に積層されており、収納部１ａと収容凹部４ｃとで形成される空間部に、クリックばね９と摺動するカム山を有する第１の軸体３の鍔部３ａと、絶縁基板６上を摺動する摺動子８が固着された回転部材２の基台部２ａとが回転可能に収容されている。
【００４０】
また、固定部材１の後方には、発光素子１１を収納する空間部を有するガイド部材１０が設けられている。このガイド部材１０は、不透明な合成樹脂等の絶縁材からなり、矩形状に形成され、その中央にはやや大きめの丸孔１０ａが形成されている。
また、軸受部材４、固定部材１、ガイド部材１０は、金属板を打ち抜き折り曲げて形成された、取付部材１２によって積層された状態で一体的に係合されている。
【００４１】
この場合、固定部材１の後方に、一体的に係合されたガイド部材１０は、丸孔１０ａが、固定部材１に埋設された絶縁基板６の挿通孔６ａに対応した位置に設けられている。また、挿通孔６ａに、回転部材２の円筒部２ｂと共に挿通される第１の軸体３の嵌合突部３ｄの貫通孔３ｇに対応して、この丸孔１０ａ内に発光素子１１が配置されている。
【００４２】
この場合、発光素子１１は、回転型電気部品が実装される電気機器等の配線基板１３上に別途取り付けられるものとなっており、発光素子１１から照射された光は、ガイド部材１０でガイド（遮蔽）されることにより外部へ漏れることなく、操作軸を構成する第１の軸体３の中央に設けられた貫通孔３ｇ及び第２の軸体５の有底孔５ｄ、傾斜面５ｅを通して、効率良く、つまみ取付部５ａの先端及びインジケータ部（図示せず）まで導光されるものとなっている。
このように、操作軸を構成する第１の軸体３及び第２の軸体５の貫通孔３ｇ、及び有底孔５ｄを通して光を操作つまみ１４に導光できるので、照光タイプにも対応が可能となっている。
【００４３】
図６は、回転型電気部品に操作つまみ１４を装着して、電気機器等のパネル１５に取り付けた使用状態を示す説明図である。
この場合、図示はしないが、回転型電気部品は、電気機器等の配線基板に実装されるものとなり、固定部材１の一側面から突出した接続端子７と、ガイド部材１０の底面側に突出して設けられた複数のボス１０ｂと、取付部材１２に設けられた一対の脚部１２ａとで位置決め、半田付けして固着されて取り付けられるものとなっている。また、操作軸を構成する第２の軸体５のつまみ取付部５ａに装着される操作つまみ１４は、操作軸を構成する第１の軸体３と第２の軸体５との係合位置である位置よりも上方に取付られている。
【００４４】
上記した実施例の構成によれば、操作軸は、回転部材２と係合され、軸受部材４に軸支される第１の軸体３と、第１の軸体３に係合され、軸受部材４の外方へ突出されると共に、操作つまみ１４が取り付けられる第２の軸体５とからなり、第１の軸体３を亜鉛ダイキャストの金属材により形成し、第２の軸体５を金属材よりも柔らかい合成樹脂材により形成したことから、第２の軸体５の先端に取り付けられた操作つまみ１４に過大な力が加わり、操作つまみ１４が破壊されたとしても、第２の軸体５が合成樹脂材で形成されているので、第２の軸体５が折れたり、第１と第２の軸体３、５の係合が外れたりして、第２の軸体５の突出状態を維持しないようにできるため、パネル１５から突出した操作軸（第２の軸体５）により人体への損傷を及ぼしにくくすることができるものとなっている。
また、第１の軸体３を亜鉛ダイキャストで構成したので、過大な衝撃荷重により、第２の軸体５が折れたり、外れやすくでき、操作軸を小形に形成することができるものとなる。
【００４５】
このように、操作軸を金属材からなる第１の軸体３と、合成樹脂材からなる第２の軸体５とで構成し、この第１の軸体３と第２の軸体５の互いの係合部を軸受部材４の外側の先端部近傍に位置させて形成し、操作つまみ１４に、過大な荷重が加わった際には、この係合部が外れることにより、操作軸が回転動作ができない状態（製品破壊状態）となるように構成したことにより、ヨーロッパなどでの車載用電気機器の安全規格となる内突規制に対応することが可能になっている。
【００４６】
そして、操作軸に過大な押圧力が加えられた時には、操作軸が係合部から外れて、操作軸の回転を阻止するので、操作軸に取り付ける操作つまみ１４などの操作体を複雑な構造とする必要が無く、小型化が可能で、且つ低コスト化が可能な、車載用電気機器の安全規格である内突規制に対応した回転型電気部品を提供できるものとなっている。
【００４７】
図７乃至図９は、本発明の回転型電気部品の他の実施例を示している。この場合、図１乃至図６で説明した上記実施例の構成と相違する点は、操作軸の構成が一部相違している点である。尚、図１乃至図６で説明した上記実施例と同一の部品については、同一の符号を付してその説明を省略する。
【００４８】
図において、操作軸は、亜鉛ダイキャストの金属材からなる第１の軸体３は、図２、図３で説明した上記実施例の構成と同一であるが、この第１の軸体３と係合部により係合されて、軸受部材４の外方へ突出される第２の軸体１７の構成が一部相違している。
【００４９】
この場合、第２の軸体１７は、同じく合成樹脂材からなる柔らかい材料で形成されており、略円柱状からなり一面にＤカット状の平面を有するつまみ取付部１７ａと、このつまみ取付部１７ａの一端側に突出されたやや細径からなる係合用凸部１７ｂと、この係合用凸部１７ｂの一端側に長尺状に突出されたさらに細径からなる挿入軸部１７ｃとを有している。尚、本実施例においても、第２の軸体１７は透光性を有する合成樹脂材で形成されている。
【００５０】
また、係合用凸部１７ｂの外周面には、径方向の対向する位置に、外方に向かって突出する一対の係止突起１７ｄ、１７ｄが形成されている。この係止突起１７ｄが、第１の軸体３の係止孔３ｆに係合することにより第１の軸体３と第２の軸体１７が一体的に係合されるものとなる。
【００５１】
第１の軸体３と第２の軸体１７とは、嵌入孔部となる第１の軸体３の係合用凹部３ｃに、第２の軸体１７の係合用凸部１７ｂが嵌入されて係合されることにより、一体的に係合されるものとなる。このとき、第２の軸体１７は柔らかい合成樹脂材で形成されていることから、係合用凸部１７ｂの外周面に設けられた係止突起１７ｄ、１７ｄがスナップ性を有して係合用凹部３ｃに係合するものとなる。
【００５２】
そして、この係止突起１７ｄ、１７ｄが係合用凹部３ｃの係止孔３ｆ、３ｆにスナップ係合されるものとなり、第１の軸体３と第２の軸体１７とが一体的に係合される。そして、第１の軸体３の軸部３ｂが軸受部材４の筒状部４ｂに回転可能に挿通されて、第２の軸体１７のつまみ取付部１７ａが回転操作されることにより、軸受部材４に対して一体的に回転可能に取り付けられるものとなっている。
【００５３】
このように、第１の軸体３と第２の軸体１７は、合成樹脂材からなる第２の軸体１７が有する弾性によりスナップ係合されて簡単に２つの軸体を一体化させることができると共に、一体的に回転可能となっている。また、過大な衝撃荷重により、第２の軸体１７が折れたり、外れやすくできていることから、過大な荷重が加わったときには両者の係合を容易に外すことが可能となっている。
【００５４】
また、第１の軸体３と第２の軸体１７とは、第１の軸体３の軸部３ｂが、軸受部材４の外方へ突出した根元部近傍で係合されており、第１の軸体３と第２の軸体１７の互いの係合位置が軸受部材４の先端部近傍に位置されるものとなっている。そして、操作軸に過大な荷重が加わった時には、その荷重が軸受部材４の先端部近傍に作用することになるので、第２の軸体１７が容易に折れて、第１の軸体３から外れるものとなっている。
【００５５】
また、第１の軸体３と第２の軸体１７とが、係止孔３ｆと係止突起１７ｄにより一体に係合されたときには、第１の軸体３の嵌入孔部である係合用凹部３ｃに連続して、軸線方向に貫通する貫通孔３ｇに、第２の軸体１７の長尺状の挿入軸部１７ｃが挿通されるものとなる。そして、挿入軸部１７ｃの先端が第１の軸体３の嵌合突部３ｄの先端と略同一位置まで延設され、この挿入軸部１７ｃの先端が回転型電気部品の後方に配置した発光素子１１に対向して配置されるものとなり、挿入軸部１７ｃ先端から第２の軸体１７のつまみ取付部１７ａの先端に渡って、発光素子１１からの光を導光する導光部が構成されている。
【００５６】
このように、本実施例においては、第２の軸体１７を透光性の合成樹脂材により形成すると共に、第１の軸体３の軸線方向に貫通する貫通孔３ｇに、第２の軸体１７の挿入軸部１７ｃを挿通し、この挿入軸部１７ｃの先端を固定部材１の後方まで延設したことから、この挿入軸部１７ｃ自体を導光体として用いることができるので、より多くの光を効率良く、操作軸（第２の軸体１７）の先端に導くことができるため、回転型電気部品の後方に配置したＬＥＤ（発光素子１１）等の光を効率良く操作つまみ１４に導くことができるものとなっている。
【００５７】
尚、上記実施例では、第１の軸体３と第２の軸体５、１７は、それぞれ別体で形成して、それぞれ係合部に設けられた係止孔３ｆ、３ｆと係止突起５ｃ、５ｃ、１７ｄ、１７ｄとによりスナップ係合して一つの操作軸にするように構成したが、これとは別に、両者をインサート成形等の方法で一体成形して、第１の軸体３と第２の軸体５、１７とが係合した状態で一つの操作軸を形成するようにしても良い。
【図面の簡単な説明】
【００５８】
【図１】本発明の回転型電気部品を示す断面図である。
【図２】本発明の回転型電気部品の操作軸を構成する第１の軸体を示す正面図である。
【図３】本発明の回転型電気部品の操作軸を構成する第１の軸体を示す断面図である。
【図４】本発明の回転型電気部品の操作軸を構成する第２の軸体を示す正面図である。
【図５】本発明の回転型電気部品の操作軸を構成する第２の軸体を示す断面図である。
【図６】本発明の回転型電気部品に操作つまみを装着しパネルに取り付けた使用状態を示す説明図である。
【図７】本発明の回転型電気部品の他の実施例を示す断面図である。
【図８】本発明の回転型電気部品の他の実施例である操作軸を構成する第２の軸体を示す正面図である。
【図９】本発明の回転型電気部品の他の実施例である操作軸を構成する第２の軸体を示す断面図である。
【図１０】従来の回転型電気部品の使用状態を示す説明図である。
【図１１】従来の回転型電気部品の動作状態を示す説明図である。
【符号の説明】
【００５９】
１：固定部材
１ａ：収納部
２：回転部材
２ａ：基台部
２ｂ：円筒部
２ｃ：嵌合孔
３：第１の軸体（操作軸）
３ａ：鍔部
３ｂ：軸部
３ｃ：係合用凹部（嵌入孔部）
３ｄ：嵌合突部
３ｅ：溝部
３ｆ：係止孔
３ｇ：貫通孔
４：軸受部材
４ａ：基部
４ｂ：筒状部
４ｃ：収容凹部
５：第２の軸体（操作軸）
５ａ：つまみ取付部
５ｂ：係合用凸部
５ｃ：係止突起
５ｄ：有底孔
５ｅ：傾斜面
６：絶縁基板（信号検出手段）
６ａ：挿通孔
７：接続端子
８：摺動子（信号検出手段）
８ａ：接触子
９：クリックばね
１０：ガイド部材
１０ａ：丸孔
１０ｂ：ボス
１１：発光素子
１２：取付部材
１２ａ：脚部
１３：配線基板
１４：操作つまみ
１５：パネル
１６：規制部材
１７：第２の軸体（操作軸）
１７ａ：つまみ取付部
１７ｂ：係合用凸部
１７ｃ：挿入軸部
１７ｄ：係止突起
【図１】
2007073792.tif 000003
【図２】
2007073792.tif 000004
【図３】
2007073792.tif 000005
【図４】
2007073792.tif 000006
【図５】
2007073792.tif 000007
【図６】
2007073792.tif 000008
【図７】
2007073792.tif 000009
【図８】
2007073792.tif 000010
【図９】
2007073792.tif 000011
【図１０】
2007073792.tif 000012
【図１１】
2007073792.tif 000013